(57)【特許請求の範囲】
【請求項１】
発振信号の周波数を基準発振信号の周波数の整数倍に可変的に設定することにより所望の周波数に制御するＰＬＬ回路を有した周波数変換装置において、出力部にフィルタ回路とローカル周波数除去用トラップとを含むフィルタ部を配置し、ローカル周波数除去用トラップにはそのローカル周波数除去用トラップの周波数に対して関連付けられた直流電圧設定回路としての分圧回路を設け、その分圧回路から供給される直流電圧に応じて、予め設定された分周数のデータを出力するプログラムが組み込まれたコンピュータで分周数を決定し、その分周数に基づいて前記発振信号の周波数が決定される周波数変換装置。
【発明の詳細な説明】
【０００１】
【発明の属する利用分野】
本発明は、発振信号の周波数を基準発振信号の周波数の整数倍に可変的に設定することにより所望の周波数に制御するＰＬＬ（Ｐｈａｓｅ  Ｌｏｃｋｅｄ  Ｌｏｏｐ）回路を有した周波数変換装置に関する。
【０００２】
【従来の技術】
ＣＡＴＶ、電話伝送、その他の伝送システムにおいて、前記周波数変換装置は、その周波数設定方法として、例えば実公平３−１７４８８号公報に記載の如く、フィルタユニットにパターン配線を一体化して設け、そのパターン配線において、各端子間を接続、或は切断することによって２進数の各桁を０か１か選択することによって分周数であるＮ値を設定し、そのＮ値に基づいてＰＬＬ回路を制御する方法が知られている。
【０００３】
【発明が解決しようとする課題】
パターン配線は、分周数を二進数で設定した場合、接続部が８〜１２ピンと多くなり、部品コストがかさみ、組み付けスペースも大きくなる。
而もパターン配線は、Ｎ値の数に相当する種類があるため、組み立てラインで共通の組み立てをすることが難かしく、一旦設定されたＮ値を変更する場合は、ハンダ付けをやり直すなど、パターン配線を大幅に変更しなくてはならないため、極めて煩雑であった。
【０００４】
【課題を解決しようとする課題】
本発明は、分周数の設定、変更を簡単に行なえる周波数変換装置であって、その構成は、発振信号の周波数を基準発振信号の周波数の整数倍に可変的に設定することにより所望の周波数に制御するＰＬＬ回路を有した周波数変換装置において、出力部にフィルタ回路とローカル周波数除去用トラップとを含むフィルタ部を配置し、ローカル周波数除去用トラップにはそのローカル周波数除去用トラップの周波数に対して関連付けられた直流電圧設定回路としての分圧回路を設け、その分圧回路から供給される直流電圧に応じて、予め設定された分周数のデータを出力するプログラムが組み込まれたコンピュータで分周数を決定し、その分周数に基づいて前記発振信号の周波数が決定されることにある。
【０００５】
【発明の実施の形態】
本発明に係る周波数変換装置を、図面に基づいて説明する。
図１は、周波数変換装置の全体を示したブロック図であり、図１のａにおいて、映像信号及び音声信号は個々に映像変調器１と音声変調器２とに入力され、夫々振幅変調、周波数変調されると共に、発振器（ＯＳＣ）３から出力された搬送波を、前記変調された各信号により周波数変換し、周波数変換された各信号が、ＩＦ増幅器４，５を経て合成される。
尚、振幅変調された映像信号は、フィルタ６で不要な周波数帯域の信号が除去される。
前記フィルタ６としてはバンドパスフィルタが好適に使用されるが、ここでのフィルタは、後述するようにローカル周波数の除去を目的としているので、ローパスフィルタを使用することもできる
合成された信号は、更に電圧制御発振器（ＶＣＯ）７から出力された搬送波を周波数変換し、増幅器８及びフィルタ９を介して高周波出力端子より出力される。
前記電圧制御発振器７の出力は、プリスケーラ１０により周分されてＰＬＬ回路１１に入力され、そのＰＬＬ回路１１において、コンピュータ（マイクロコンピュータ）１２から出力された分周数に基づいて、発振周波数が制御、安定化され、ローパスフィルタ１３で積分した後、電圧制御発振器６にフィードバックされる。
【０００６】
前記フィルタ９はフィルタ部Ｍとしてユニット化され、周波数変換装置に対して着脱可能となっており、そのフィルタ部Ｍは、図１のａに示すように入出力用のコネクタ１４，１５を装備すると共に、可変抵抗器１６ａを備えた直流電圧設定回路としての分圧回路１６を搭載しており、分圧回路１６からは、直流電圧が出力されるようになっている。
出力される直流電圧は、可変抵抗器１６ａの操作によって調整可能で、その直流電圧は、Ａ／Ｄ変換された後、前記コンピュータ１２に入力される。
【０００７】
コンピュータ１２はＰＬＬ回路１１に接続されると共に、そのコンピュータ１２には、予め入力された直流電圧と分周数との変換プログラムが設定されており、所望の分周数に対応した電圧となるように可変抵抗器１６ａを操作すれば、コンピュータ１２から分周数のデータがＰＬＬ回路１１に送られ、ＰＬＬ回路１１の周波数が自動的に設定される。
【０００８】
このように、コンピュータ１２に入力する直流電圧を変化させるだけで、分周数を簡単に変更できるし、分周数を二進数で設定しても、接続部は３ピンのみしか必要なく、小型化できる。
又、フイルタ部が周波数変換装置に対して着脱可能となっているので、可変抵抗器をフィルタの帯域に合わせてプリセットしておけば、フイルタ部を交換するだけで、周波数変換装置を所定の周波数に調整できる。
【０００９】
前記実施例のフィルタは、前述した如く各チャンネルの映像搬送波（ｆｖ）に対して５８．７５ＭＨｚ  高域側にずれて発生するローカル周波数を除去することを目的としているが、そのローカル周波数が完全に除去しきれずに残っていると、ローカル周波数を帯域内周波数とするチャンネルの画面にビート縞を発生させてしまう虞れがあるため、フィルタ部にローカル周波数除去用トラップ回路（以下単にトラップ回路という）を併設する試みがある。
前記実施例は直流電源をフィルタの分圧回路から供給を受けているが、フイルタ部Ｍにローカルを除去するトラップ回路を設け、そのトラップ回路に分圧回路（直流電圧設定回路）を併設し、前記トラップ回路の周波数に関連付けられた分圧回路から電圧供給を受けるようにしたり、別個独立した電源回路を介して供給することもできる。
【００１０】
前記フイルタ部Ｍに設けるトラップ回路１７と分圧回路１６とは、図２に例示する回路により具体化される。
即ち、Ｃ１  は、トラップ回路１７をフィルタ９とコネクタ１５とを結ぶラインに接続すると共に、共振回路構成用としてのコンデンサ、Ｃ２  は直流カット用のコンデンサ、ＣＶ  及びＬはトラップの並列共振回路を構成するための電圧可変型コンデンサとコイルであり、Ｒ及びＣは高周波阻止用の抵抗とコンデンサであって、ここで可変抵抗器１６ａを、前記ＣＶ  及びＬとで構成される並列共振回路が、搬送波の周波数により発生するローカル周波数で共振するよう調整した場合、その共振周波数に関連して分圧回路から出力される電圧に応じて、ＰＬＬ回路の周波数が前記搬送波の周波数と一致する分周数がコンピュータから出力されるように設定しておけば、可変抵抗器を操作するだけで周波数変換装置とトラップとにおける周波数の設定及び変更を同時に行なうことができる。
【００１１】
また、フィルタとしてローパスフィルタを使用した場合は、図３に例示するように、そのローパスフィルタの通過阻止周波数より低域で、最大５８．７５ＭＨｚ  の範囲に含まれる複数チャンネルＡ，Ｂ，Ｃ相互間の周波数変更に対し、フイルタの調整は不要となる。
尚、フィルタのみを交換可能としたり、可変式のフィルタを採用し、コンピュータを周波数変換装置に一体的に組み付けても差し支えなく、周波数変換装置の回路構成も実施例に限定されるものではないし、可変式抵抗器を、整数倍の切り換え式としたり、電子回路をもって安定制御するなど、コンピュータへ入力する直流電圧設定回路も、適宜変更できる。
【００１２】
このように本発明の周波数設定方法は、コンピュータにより、そのコンピュータに入力された電圧値に対応した分周数が選択決定され、その分周数に基づきＰＬＬ回路で周波数を設定するから、電圧の変更により周波数を調整でき、簡単で而も確実である。
【００１３】
【発明の効果】
本発明によれば、印加する直流電圧の値で分周数が決定されるから、分周数の設定や変更に対して容易に対応できる。
又、特に前記直流電圧がフィルタ部から供給されるので、フィルタの通過周波数帯域とＰＬＬ回路の設定周波数とを関連付けることができ、特にフィルタ部にトラップを設け、そのトラップに設けた分圧回路から直流電圧が供給されるようにすれば、周波数を設定、変更する上において合理的である。
更に、組み立て工程においては、予め直流電圧設定回路としての分圧回路を組み付けるので、作業性も良くなる。
【図面の簡単な説明】
【図１】本発明に係る周波数変換装置の全体を示したブロック図である。
【図２】フィルタ部の変更例を示す説明図である。
【図３】チャンネルＡ，Ｂ，Ｃに対して調整不要なローパスフィルタの実例を示す説明図である。
【符号の説明】
１・・映像変調器、２・・音声変調器、３・・発振器、４，５・・ＩＦ増幅器、６・・フィルタ、７・・電圧制御発振器、８・・増幅器、９・・フィルタ、１０・・プリスケーラ、１１・・ＰＬＬ回路、１２・・コンピュータ、１３・・ローパスフィルタ、１４，１５・・コネクタ、１６・・分圧回路、１６ａ・・可変抵抗器、１７・・トラップ回路、Ｍ・・フィルタ部。
【図１】
0003595038.tif 000002
【図２】
0003595038.tif 000003
【図３】
0003595038.tif 000004